(57)【要約】【課題】負荷の状態によって、電力供給方向に生じる過電流の流出を阻止する。【解決手段】１次，２次および３次巻線を有する変圧器と、スイッチング素子と、スイッチング素子をオンして直流電流を１次巻線に通電する動作と２次巻線に誘起される電圧によりスイッチング素子をオフして１次巻線の通電を停止させる動作とを交互にくり返す発振回路と、発振回路の動作により３次巻線に誘起される電圧を負荷に接続する負荷回路と、スイッチング素子のオン時間が発振時よりも長い第１所定時間になったとき、スイッチング素子の通電を強制的に停止させる通電停止回路を備える。【選択図】図１
2008225202.tif 000002
【特許請求の範囲】
【請求項１】
１次，２次および３次巻線を有する変圧器と、スイッチング素子と、スイッチング素子をオンして直流電流を１次巻線に通電する動作と２次巻線に誘起される電圧によりスイッチング素子をオフして１次巻線の通電を停止させる動作とを交互にくり返す発振回路と、発振回路の動作により３次巻線に誘起される電圧を負荷に接続する負荷回路と、スイッチング素子のオン時間が発振時よりも長い第１所定時間になったとき、スイッチング素子の通電を強制的に停止させる通電停止回路を備える電源装置。
【請求項２】
通電停止回路の通電停止期間を第２所定時間に制限する計時回路をさらに備える請求項１記載の電源装置。
【請求項３】
通電停止回路の通電停止動作が複数回くり返されるとき、通電停止の累積時間を算出する算出回路と、累積時間が第３所定時間に達したときに警告信号を発すると共に制限回路の制限動作を停止させる警告回路を備える請求項２記載の電源装置。
【請求項４】
第２通電停止回路の通電停止動作が複数回くり返されるとき、通電停止の累積回数を計測する回数計測回路と、累積回数が所定回数に達したとき警告を発すると共に制限回路の制限動作を停止させる警告回路を備える請求項２記載の電源装置。
【請求項５】
感光体ドラムと、感光体ドラムに静電潜像を形成するスキャナユニットと、静電潜像をトナー像に現像する現像装置と、トナー像を用紙に転写する転写用放電器と、用紙にトナー像を定着させる定着装置と、感光体ドラムを一様に帯電する帯電器と、現像装置に現像バイアス電圧を、転写用放電器に転写バイアス電圧を、帯電器にグリッドバイアス電圧を、それぞれ印加する複数の電源装置を備え、複数の電源装置の少なくとも１つが請求項１〜４のいずれか１つに記載の電源装置からなる画像形成装置。
【発明の詳細な説明】
【技術分野】
【０００１】
この発明は、電源装置に関し、主に、画像形成装置の帯電，転写，現像などのプロセスに用いられる。
【背景技術】
【０００２】
上記のような技術分野で用いられる電源装置は、帯電，露光，現像，転写等を含む電子写真プロセスに用いられる高圧電源装置であって、接続される負荷に対して電力の供給を行う高圧電源部と、その高圧電源部に直列接続されたバリスタ又は定電圧ダイオードを備え、負荷の状態によって、電力供給方向に生じる過電流の流出を阻止するようにしたものが知られている（例えば、特許文献１参照）。
【０００３】
また、同様の電源装置として図３に示すようなものが知られている。
この電源装置では、抵抗R11を介してベース電流を流してスイッチングトランジスタTr11をオンにし、直流電圧VpをトランスTR0の１次巻線N11に印加し、２次巻線N12の誘起電圧をコンデンサC11と抵抗R12を介してベースに印加してスイッチングトランジスタTr11をオフにすることをくり返してスイッチングトランジスタTr11を発振させる。それによって、３次巻線N13に誘起される交流電圧をダイオードD11とコンデンサC12とで整流平滑し、ツエナーダイオードZD1を介して負荷に供給する。
【０００４】
負荷に供給する直流電圧を抵抗R14，R15でV11に分圧し、直流電圧Vpの抵抗R16，R17による分圧電圧V12をコンパレータIC11で比較する。V11＞V12になるとスイッチングトランジスタTr11の発振を停止させ、V11≦V12になると発振を再発振させることにより、負荷への供給電圧が一定に保持される。そして、負荷の状態により、負荷に順方向電圧が印加され、３次巻線N13の整流回路の電流供給方向に過電流が流出しようとすると、その順方向電圧はツエナーダイオードZD1のツエナー電圧分だけ差し引かれて、過電流が阻止されるようになっている。
【特許文献１】特開２００３−１３４８２１号公報
【発明の開示】
【発明が解決しようとする課題】
【０００５】
しかしながら、このような従来の電源装置では、電力供給方向に生じる過電流の流出を阻止するためのバリスタや定電圧ダイオードに高電圧仕様のものが必要とされるため、回路が高価になるという問題点があった。
【０００６】
とりわけ、図３に示す電源装置では、定電圧ダイオードZD1を除去すると、電力供給方向に過電流が流出する場合にはトランスTR0の磁束が飽和状態に近づき、２次巻線N12の誘起電圧が小さくなりすぎてコンデンサC11と抵抗R12を介してベースに印加してスイッチングトランジスタTr11をオフにすることが出来ず、連続的なオン状態となるため、スイッチングトランジスタTr11又はトランスTR0が焼損するという問題がある。
この発明は、このような事情を考慮してなされたもので、高価な回路素子を用いることなく、負荷の状態によって電力供給方向に生じる電流の流出を安全に阻止することが可能な電源装置を提供するものである。
【課題を解決するための手段】
【０００７】
この発明は、１次，２次および３次巻線を有する変圧器と、スイッチング素子と、スイッチング素子をオンして直流電流を１次巻線に通電する動作と２次巻線に誘起される電圧によりスイッチング素子をオフして１次巻線の通電を停止させる動作とを交互にくり返す発振回路と、発振回路の動作により３次巻線に誘起される電圧を負荷に接続する負荷回路と、スイッチング素子のオン時間が発振時よりも長い第１所定時間になったとき、スイッチング素子の通電を強制的に停止させる通電停止回路を備える電源装置を提供するものである。
【発明の効果】
【０００８】
この発明によれば、負荷の状態により電力供給方向に過電流が流出すると、変圧器の磁束が飽和して２次巻線の誘起電圧によるスイッチング素子の通電停止が行われなくなり、スイッチング素子のオン時間が発振時よりも長い第１所定時間になると、通電停止回路がスイッチング素子の通電を停止させるので、過電流の流出が阻止されると共に、スイッチング素子や変圧器の焼損が防止される。
【発明を実施するための最良の形態】
【０００９】
この発明による電源装置は、１次，２次および３次巻線を有する変圧器と、スイッチング素子と、スイッチング素子をオンして直流電流を１次巻線に通電する動作と２次巻線に誘起される電圧によりスイッチング素子をオフして１次巻線の通電を停止させる動作とを交互にくり返す発振回路と、発振回路の動作により３次巻線に誘起される電圧を負荷に接続する負荷回路と、スイッチング素子のオン時間が発振時よりも長い第１所定時間になったとき、スイッチング素子の通電を強制的に停止させる通電停止回路を備えることを特徴とする。
ここで、第１所定時間とは、スイッチング素子および１次巻線に連続的に過電流が流れても、それらが焼損しない時間をいう。
【００１０】
通電停止回路の通電停止期間を第２所定時間に制限する計時回路をさらに備えてもよい。この場合、第２所定時間の間に負荷の状態が正常に戻っていると、再び電源装置は正常に作動することができる。
通電停止回路の通電停止動作が複数回くり返されるとき、通電停止の累積時間を算出する算出回路と、累積時間が第３所定時間に達したときに警告信号を発すると共に制限回路の制限動作を停止させる警告回路を備えてもよい。
第２通電停止回路の通電停止動作が複数回くり返されるとき、通電停止の累積回数を計測する回数計測回路と、累積回数が所定回数に達したとき警告を発すると共に制限回路の制限動作を停止させる警告回路を備えてもよい。
【００１１】
この発明による画像形成装置は、感光体ドラムと、感光体ドラムに静電潜像を形成するスキャナユニットと、静電潜像をトナー像に現像する現像装置と、トナー像を用紙に転写する転写用放電器と、用紙にトナー像を定着させる定着装置と、感光体ドラムを一様に帯電する帯電器と、現像装置に現像バイアス電圧を、転写用放電器に転写バイアス電圧を、帯電器にグリッドバイアス電圧を、それぞれ印加する複数の電源装置を備え、複数の電源装置の少なくとも１つが上記電源装置からなることを特徴とする。
【００１２】
以下、図面に示す実施形態を用いてこの発明を詳述する。
図１は、この発明による電源装置を示す電気配線図である。
同図に示すように、トランスTRの１次巻線N1は、一端が直流電圧V0（＋24V）を入力する入力端子T1に接続され、他端がスイッチングトランジスタTr1のコレクタに接続される。スイッチングトランジスタTr1のベースは抵抗R1を介して入力端子T1に接続され、スイッチングトランジスタTr1のエミッタは接地される。
【００１３】
また、トランスの２次巻線N2は、一端が抵抗R2とコンデンサC1との直列回路を介してスイッチングトランジスタTr1のベースに接続され、他端が接地される。トランスTRの３次巻線N3は一端がダイオードD1のアノードに接続され、他端が接地される。
【００１４】
ダイオードD1のカソードは、負荷に接続される出力端子T2に接続されると共にコンデンサC2を介して接地される。抵抗R4，R5は、出力端子T2の電圧をV1に分圧してコンパレータIC1の入力端子（負）に入力し、抵抗R6，R7は、直流電圧V0をV2に分圧してコンパレータIC1の入力端子（正）に入力する。コンパレータIC1の出力はスイッチングトランジスタTr1のベースに接続される。なお、コンパレータIC1はオープンコレクタ出力のコンパレータである。
【００１５】
抵抗R8，R9は直流電圧V0をVrに分圧してコンパレータIC2の入力端子（負）に入力し、スイッチングトランジスタTr1のベースは、ベース電圧VbをコンパレータIC2の入力端子（正）に入力する。コンパレータIC2の出力はカウンタ回路２に入力され、カウンタ回路２の出力はオフ出力生成回路３に入力される。
【００１６】
オフ出力生成回路３の出力はスイッチングトランジスタTr1のベースに入力される。なお、オフ出力生成回路３の出力はオープンコレクタ出力である。また、パルス発生回路１の出力はカウンタ回路２に入力されるようになっている。カウンタ回路２はカウンタ2a，2b，2cを内蔵している。
【００１７】
このような構成における動作を次に説明する。まず、入力端子T1に直流電圧V0が供給される。抵抗R1を介してスイッチングトランジスタTr1に印加されるベース電圧Vbが所定電圧Vr（例えば、0.8V）を越えてスイッチングトランジスタTr1がオンになる。
【００１８】
１次巻線N1に電流が流れ、その電流は１次巻線のインダクタンス成分と抵抗成分の大きさに応じて時間と共に増大する。１次巻線N1の電流によりトランスTRの磁束が変化し２次巻線N2に電圧が誘起される。そして、負極性の電圧がコンデンサC1と抵抗R2の直列回路を介してスイッチングトランジスタTr1のベースに印加されるので、ベース電圧Vbが負となり、スイッチングトランジスタTr1がオフになる。
【００１９】
スイッチングトランジスタTr1がオフになると１次巻線N1の電流が停止し、２次巻線N2の誘起電圧が消滅する。再度、ベース電圧Vbが上昇してスイッチングトランジスタTr1がオンになる。この動作がくり返されてスイッチングトランジスタTr1はスイッチング発振を行う。
【００２０】
スイッチング発振が開始されると、トランスTRの磁束が交番的に変化し、３次巻線N3に交流電圧が発生する。発生した交流電圧はダイオードD1により半波整流され、コンデンサC2で平滑されて出力端子T2から負荷へ供給される。抵抗R4，R5は出力端子T2の出力電圧を電圧V1に分圧してコンパレータIC1の入力端子（負）に入力する。
【００２１】
一方、抵抗R6，R7は直流電圧V0を電圧V2に分圧してコンパレータIC1の入力端子（正）へ入力する。そして、V1＞V2になると、コンパレータIC1のオープンコレクタ出力によりスイッチングトランジスタTr1のベース電圧Vbが引き下げられスイッチングトランジスタTR1のスイッチング発振が停止する。
【００２２】
そして、V1≦V2になるとスイッチングトランジスタTr1のスイッチング発振が再開する。従って、出力端子T2の出力電圧は、電圧V2に基づいて一定に保持される。このようにして、直流定電圧が出力端子T2を介して負荷に供給される。
【００２３】
このような状況において、負荷の状態によって電力供給方向に異常な過電流が流れると、トランスTRの磁束が飽和して変化しなくなる。それによって２次巻線N2に電圧が誘起されなくなり、スイッチングトランジスタTr1が継続的にオン状態になる。
【００２４】
スイッチングトランジスタTr1のオン状態は、スイッチングトランジスタTr1のベース電圧Vbと電圧Vrとを比較するコンパレータIC2により検出される。つまり、Vb＞Vrであれば、スイッチングトランジスタTr1がオン状態にあるとして、コンパレータIC2は出力をLowからHighに変化させる。
【００２５】
コンパレータIC2の出力がHighになると、カウンタ2aがパルス発生回路１の出力パルスの積算を開始する。積算値がＡになると、カウンタ2aの出力はLowからHighになる。カウンタ2aの出力がHighになると、オフ出力生成回路３がスイッチングトランジスタTr1のベース電圧Vbを引き下げ、スイッチングトランジスタTrを強制的にオフにし、その状態を維持する。
【００２６】
カウンタ2aの出力がHighになるとカウンタ2bはパルス発生回路の出力パルスの積算を開始する。積算値がＢになると、カウンタ2bの出力はLowからHighになる。カウンタ2bの出力がHighになると、オフ出力生成回路３はスイッチングトランジスタTr1を発振可能状態に戻し、その状態を維持する。それによって、コンパレータIC2の出力がLowからHighになる。コンパレータIC2の出力がHighになると、再びカウンタ2aがパルス発生回路１の出力パルスの積算を開始する。
【００２７】
この動作がくり返され、そのくり返し回数をカウンタ2cが計数する。つまり、カウンタ2cはカウンタ2bの出力の立上りのエッジを計数し、その値がＣになると、カウンタ2cの出力はLowからHighになる。カウンタ2cの出力がHighになると、オフ出力生成回路３はスイッチングトランジスタTrを強制的にオフにし、その状態を維持すると共に、警告信号を出力する。
【００２８】
なお、上記ではカウンタ2cは、くり返し回数を計数したが、その代わりに、くり返される毎にＢを積算し、その積算値がＤになると、出力をLowからHighにするようにしてもよい。
【００２９】
ここで、Ａは、オン状態のスイッチングトランジスタTr1を介して１次巻線Ｎに定格より大きい電流が継続的に流れてもスイッチングトランジスタTr1およびトランスTRが焼損しない時間（例えば、正常動作時のスイッチング周期10μＳに対して１２．５μＳ）に対応して決定される。
【００３０】
また、Ｂは負荷が正常な状態に復帰しているか否かを確認する時間（例えば、５０μＳ）に対応して決定される。さらに、Ｃ（又はＤ）は、所望の復帰確認回数又は復帰確認時間に基づいて決定される。
【００３１】
図２は、図１に示す電源装置が適用される画像形成装置として、デジタルカラー複写機の構成を示す正面断面の略図である。複写機本体100の上面には、原稿台111及び操作パネル(図示しない)が設けられ、複写機本体100の内部に画像読み取り部110および画像形成部210が設けられた構成である。
原稿台111の上面には該原稿台111に対して開閉可能な状態で支持され、原稿台111面に対して所定の位置関係をもって両面自動原稿送り装置112が装着されている。
【００３２】
さらに、両面自動原稿送り装置112は、まず、原稿の一方の面が原稿台111の所定位置において画像読み取り部110に対向するよう原稿を搬送し、この一方の面についての画像読み取りが終了した後に、他方の面が原稿台111の所定位置において画像読み取り部110に対向するよう原稿を反転して原稿台111に向かって搬送するようになっている。そして、両面自動原稿送り装置112は、１枚の原稿について両面の画像読み取りが終了した後にこの原稿を排出し、次の原稿についての両面搬送動作を実行する。以上の原稿の搬送および表裏反転の動作は、複写機全体の動作に関連して制御されるものである。
【００３３】
画像読み取り部110は、両面自動原稿送り装置112により原稿台111上に搬送されてきた原稿の画像を読み取るために、原稿台111の下方に配置されている。画像読み取り部110は該原稿台111の下面に沿って平行に往復移動する原稿走査体113、114と、光学レンズ115と、光電変換素子であるCCDラインセンサ116とを有している。
【００３４】
この原稿走査体113、114は、第１の走査ユニット113と第２の走査ユニット114とから構成されている。第１の走査ユニット114は原稿画像表面を露光する露光ランプと、原稿からの反射光像を所定の方向に向かって偏向する第１ミラーとを有し、原稿台111の下面に対して一定の距離を保ちながら所定の走査速度で平行に往復移動するものである。第２の走査ユニット114は、第１の走査ユニット113の第１ミラーにより偏向された原稿からの反射光像をさらに所定の方向に向かって偏向する第２および第３ミラーとを有し、第１の走査ユニット113と一定の速度関係を保って平行に往復移動するものである。
【００３５】
光学レンズ115は、第２の走査ユニットの第３ミラーにより偏向された原稿からの反射光像を縮小し、縮小された光像をCCDラインセンサ116上の所定位置に結像させるものである。
CCDラインセンサ116は、結像された光像を順次光電変換して電気信号として出力するものである。CCDラインセンサ116は、白黒画像あるいはカラー画像を読み取り、R(赤)、G(緑)、B(青)の各色成分に色分解したラインデータを出力することのできる３ラインのカラーCCDである。このCCDラインセンサ116により電気信号に変換された原稿画像情報は、さらに、画像処理部に転送されて所定の画像データ処理が施される。
次に、画像形成部210の構成、および画像形成部210に係わる各部の構成について説明する。
【００３６】
画像形成部210の下方には、用紙トレイ内に積載収容されている用紙(記録媒体)Pを１枚ずつ分離して画像形成部210に向かって供給する給紙機構211が設けられている。そして１枚ずつ分離供給された用紙Pは、画像形成部210の手前に配置された一対のレジストローラ212によりタイミングが制御されて画像形成部210に搬送される。さらに、片面に画像が形成された用紙Pは、画像形成部210の画像形成にタイミングを合わせて画像形成部210に再供給搬送される。
【００３７】
画像形成部210の下方には、転写搬送ベルト機構213が配置されている。転写搬送ベルト機構213は、駆動ローラ214と従動ローラ215との間に略平行に伸びるように張架された転写搬送ベルト216に用紙Pを静電吸着させて搬送する構成となっている。そして、転写搬送ベルト216の下側に近接して、パターン画像検出ユニットが設けられている。
【００３８】
さらに、用紙搬送路における転写搬送ベルト機構213の下流側には、用紙P上に転写形成されたトナー像を用紙P上に定着させるための定着装置217が配置されている。この定着装置217の一対の定着ローラ間のニップを通過した用紙Pは、搬送方向切り換えゲート218を経て、排出ローラ219により複写機本体１の外壁に取り付けられている排紙トレイ220上に排出される。
【００３９】
切り換えゲート218は、定着後の用紙Pの搬送経路を、複写機本体１へ用紙Pを排出する経路と、画像形成部210に向かって用紙Pを再供給する経路との間で選択的に切り換えるものである。切り換えゲート218により再び画像形成部210に向かって搬送方向が切り換えられた用紙Pは、スイッチバック搬送経路221を介して表裏反転された後、画像形成部210へと再度供給される。
【００４０】
また、画像形成部210における転写搬送ベルト216の上方には、転写搬送ベルト216に近接して、第１の画像形成ステーションPa、第２の画像形成ステーションPb、第３の画像形成ステーションPc、および第４の画像形成ステーションPdが、用紙搬送経路上流側から順に並設されている。
【００４１】
転写搬送ベルト216は駆動ローラ214によって、図２において矢印Ｚで示す方向に摩擦駆動され、前述したように給紙機構211を通じて給送される用紙Ｐを担持し、用紙Pを画像形成ステーションPa〜Pdへと順次搬送する。
各画像ステーションPa〜Pdは、実質的に同一の構成を有している。各画像ステーションPa、Pb、Pc、Pdは、図２に示す矢印Ｆ方向に回転駆動される感光体ドラム222a、222b、222c、および222dをそれぞれ含んでいる。
【００４２】
各感光体ドラム222a〜222dの周辺には、感光体ドラム222a〜222dをそれぞれ一様に帯電する帯電器223a、223b、223c、223dと、感光体ドラム222a〜222d上に形成された静電潜像をそれぞれ現像する現像装置224a、224b、224c、224dと、現像された感光体ドラム222a〜222d上のトナー像を用紙Ｐへ転写する転写用放電器225a、225b、225c、225dと、感光体ドラム222a〜222d上に残留するトナーを除去するクリーニング装置226a、226b、226c、226dとが感光体ドラム222a〜222dの回転方向に沿って順次配置されている。
【００４３】
帯電器223a〜223dの放電電極は-450μAで定電流駆動されるとともに、そのグリッド電極にはグリッドバイアス電圧Ｖｇ＝-550Vが印加されている。
現像装置224a〜224dの現像ローラには現像バイアス電圧Ｖｄ＝-375Vが印加されている。
転写用放電器225a〜225dには転写バイアス電圧Vt＝＋1500Vが印加される。
なお、電圧Vg、Vd、Vtはそれぞれ図１に示す電源装置に対応する装置より生成され印加される。
【００４４】
また、各感光体ドラム222a〜222dの上方には、レーザービームスキャナユニット227a、227b、227c、227dがそれぞれ設けられている。レーザービームスキャナユニット227a〜227dは、画像データに応じて変調されたドット光を発する半導体レーザ素子(図示せず)、半導体レーザ素子からのレーザービームを主走査方向に偏向させるためのポリゴンミラー（偏向装置）240と、ポリゴンミラー240により偏向されたレーザビームを感光体ドラム222a〜222d表面に結像させるためのｆθレンズ241やミラー242、243などから構成されている。
【００４５】
レーザービームスキャナ227aにはカラー原稿画像の黒色成分像に対応する画素信号が、レーザービームスキャナ227bにはカラー原稿画像のシアン色成分像に対応する画素信号が、レーザービームスキャナ227cにはカラー原稿画像のマゼンタ色成分像に対応する画素信号が、そして、レーザービームスキャナ227dにはカラー原稿画像のイエロー色成分像に対応する画素信号がそれぞれ入力される。
【００４６】
これにより色変換された原稿画像情報に対応する静電潜像が各感光体ドラム222a〜222d上に形成される。そして、現像装置227aには黒色のトナーが、現像装置227bにはシアン色のトナーが、現像装置227cにはマゼンタ色のトナーが、現像装置227dにはイエロー色のトナーがそれぞれ収容されており、感光体ドラム222a〜222d上の静電潜像は、これら各色のトナーにより現像される。これにより、画像形成部210にて色変換された原稿画像情報が各色のトナー像として再現される。
【００４７】
また、第１の画像形成ステーションPaと給紙機構211との間には用紙吸着用帯電器228が設けられており、この吸着用帯電器228は転写搬送ベルト216の表面を帯電させ、給紙機構211から供給された用紙Pは、転写搬送ベルト216上に確実に吸着させた状態で第１の画像形成ステーションPaから第４の画像形成ステーションPdの間をずれることなく搬送させる。
一方、第４の画像ステーションPdと定着装置217との間で駆動ローラ214のほぼ真上部には除電器229が設けられている。この除電器229には搬送ベルト216に静電吸着されている用紙Pを転写搬送ベルト216から分離するための交流電流が印加されている。
【００４８】
上記構成のデジタルカラー複写機においては、用紙Pとしてカットシート状の紙が使用される。この用紙Pは、給紙カセットから送り出されて給紙機構211の給紙搬送経路のガイド内に供給されると、その用紙Pの先端部分がセンサー（図示せず）にて検知され、このセンサから出力される検知信号に基づいて一対のレジストローラ212により一旦停止される。
そして、用紙Pは各画像ステーションPa〜Pdとタイミングをとって図１の矢印Ｚ方向にが回転している転写搬送ベルト216上に送られる。このとき転写搬送ベルト216には前述したように吸着用帯電器228により所定の帯電が施されているので、用紙Pは、各画像ステーションPa〜Pdを通過する間、安定して搬送供給される。
【００４９】
各画像ステーションPa〜Pdにおいては、各色のトナー像が、それぞれ形成され、転写搬送ベルト216により静電吸着されて搬送される用紙Ｐの支持面上で重ね合わされる。第４の画像ステーションPdによる画像の転写が完了すると、用紙Pは、その先端部分から順次、除電用放電器により転写搬送ベルト216上から剥離され、定着装置217へと導かれる。最後に、トナー画像が定着された用紙Ｐは、用紙排出口(図示せず)から排紙トレイ220上へと排出される。
【図面の簡単な説明】
【００５０】
【図１】この発明の電源装置を示す電気回路図である。
【図２】図１の電源装置を用いた画像形成装置の構成説明図である。
【図３】従来の電源装置を示す電気回路図である。
【符号の説明】
【００５１】
１    パルス発生回路
２    カウンタ回路
３    オフ出力生成回路
TR    トランス
N1    １次巻線
N2    ２次巻線
N3    ３次巻線
R1    抵抗
R2    抵抗
R3    抵抗
R4    抵抗
R5    抵抗
R6    抵抗
R7    抵抗
R8    抵抗
R9    抵抗
C1    コンデンサ
C2    コンデンサ
TR1  スイッチングトランジスタ
D1    ダイオード
IC1  コンパレータ
IC2  コンパレータ
【図１】
2008225202.tif 000003
【図２】
2008225202.tif 000004
【図３】
2008225202.tif 000005